(57)【要約】      （修正有）【課題】ＥＭ菌を原料の陶土に混練して焼き上げ、人の健康や動植物の成長にも有用なＥＭ菌入り陶器を提供する。【解決手段】液体状態の光合成・乳酸菌・酵母を中心とした微生物の複合体を微粉末の固体化することにより原料の陶土に混練し、焼き上げたことを特徴とする陶器とした。【選択図】図１
0003198233.tif 000002
【実用新案登録請求の範囲】
【請求項１】
液体状態のＥＭ菌を微粉末の固体化し、原料の陶土に混練し、焼き上げたことを特徴とするＥＭ菌入り陶器。
【請求項２】
前記陶器は、食器であることを特徴する請求項１に記載のＥＭ菌入り陶器。
【請求項３】
前記陶器は、萩焼であることを特徴する請求項１に記載のＥＭ菌入り陶器。
【考案の詳細な説明】
【考案の詳細な説明】
【技術分野】
【０００１】  本考案は、ＥＭ菌を混練した陶器に係り、特に茶碗や湯のみなどの食器に好適な萩焼のＥＭ菌入り陶器に関する。
【背景技術】
【０００２】  従来、陶器は、原料となる陶土を所望の形状に成形して乾燥し、素焼きを行ってから釉薬を塗布し高温で焼成させるものである。この陶器は日本古来より各地で製造されており、その陶土の産地や製法により有田焼、唐津焼、信楽焼、備前焼、萩焼など、数多くの特徴ある製品が生まれている。【０００２】  これらの陶器の中で特に萩焼は、山口県萩市一帯で製造される陶器であり、古くから「一楽二萩三唐津」と謳われるほど、茶人好みの器を焼いてきたことで知られる焼き物である。萩焼の特徴は原料に用いられる陶土とそれに混ぜる釉薬の具合によって生じる貫入と、使い込むことにより生じる七化けとがある。貫入とは器の表面の表面の釉薬がひび割れたような状態になることで、七化けとはその貫入が原因で、長年使い込むとそこにお茶や酒が浸透し、器表面の色が適当に変化し、枯れた味わいをみせることが特徴である【０００３】  さて、近年においては、これらの陶器の中に様々な効能を持たせようとする試みがなされている。この試みの一例として特許文献１に示すような陶器があった。この陶器は、原料としてのシリカとアルミナを主成分とする陶土にトルマリン粉末を添加し、混練して得られた混練物を、所望の形状に成形した後、素焼きし、施釉し、焼成を行うことにより製造された陶器である。その結果、この陶器製品は、消臭効果やイオン発生効果を有しており、鍋や釜など各種の調理用の機能に優れた陶器製品となっている。【特許文献１】特開２００２−２４９３６９号公報
【０００４】  しかしながら、上述した従来の陶器においては、主たる機能は耐火性の調理器具を得ることにあり、確かに消臭効果やイオン発生効果を有しているが、この機能はあくまで付随的の機能であり、人の健康を積極的に配慮したものではなかった。そこで、さらに人の健康や長寿化のために役立つ陶器が望まれ、人間の健康や動植物の成長に有用なＥＭ菌（Ｅｆｆｅｃｔｉｖｍｉｃｒｏｏｒｇａｎｉｓｍｓ）を利用したいという要求もあった。【０００５】  このＥＭ菌（Ｅｆｆｅｃｔｉｖｍｉｃｒｏｏｒｇａｎｉｓｍｓ）は、有用微生物群とも呼ばれ、光合成細菌・乳酸菌・酵母を中心とした微生物の複合体であり、その特徴は抗酸化作用を備えており、環境浄化のため多大な効果を発揮すると言われている。そのため、農業分野においては、土壌の改良や有機農業、無農薬栽培などに使用されており、家畜の糞尿の堆肥化や悪臭の除去などに役立っている。また、家庭においては、清掃や排水の浄化、生ゴミの堆肥化、ペットなどの臭いの除去に役立っている。さらに、人間の健康増進にも役立つものである。
【考案の概要】
【考案が解決しようとする課題】
【０００６】  しかしながら、このＥＭ菌は一般的には水溶液で培養されるものであり、その製品状態は液体であるので、従来例の陶器に使用しているトルマリン（鉱物）のように製造過程において、簡単に粘土と混練できないという問題もあった。【０００７】  本案は上述した従来の問題点を鑑みなされたものであり、液体状態のＥＭ菌を微粉末の固体化することにより簡単に粘土に混入することができ、内部にＥＭ菌を含有させた陶器を提供するものである。
【課題を解決するための手段】
【０００８】  本考案は、液体状態のＥＭ菌を微粉末の固体化し、原料の陶土に混練し、焼き上げたことを特徴とするものである。【０００９】  また、本考案における前記陶器は、食器であることを特徴としている。【００１０】  さらに、本考案における前記陶器は、萩焼であることを特徴とするものである。
【考案の効果】
【００１１】  本考案によれば、ＥＭ菌を微粉末の固体化にすることにより簡単に原料の陶土に混入することができ、内部にＥＭ菌を含有させた人の健康や動植物の成長にも有用なＥＭ菌入り陶器を提供することができる。
【図面の簡単な説明】
【００１２】
【図１】本考案に係るＥＭ菌入り陶器の製造工程を示すフローチャートである。
【図２】本考案に係るＥＭ菌入り陶器の実施例である湯飲みを示す正面図である。
【図３】本考案のＥＭ菌入り陶器の実施例である茶椀を示す正面図である。
【図４】本考案のＥＭ菌入り陶器の実施例である皿を示す正面図である。
【考案を実施するための形態】
【００１３】  以下、本考案におけるＥＭ菌入り陶器の実施例図を参照して詳細に説明する。図１は本考案のＥＭ菌入り陶器の製造工程を示すフローチャートである。同図において、まず原料となる萩焼の陶土を準備する（製造工程Ｓ１）。また、一方において、液体状態のＥＭ菌を準備（製造工程Ｔ１）し、この液体状態のＥＭ菌を製造工程Ｔ２において、微粉末化するものである。本考案に使用するＥＭ菌は、パウダー状の微粉末であることが大きな特徴となっている。
【００１４】  一般にＥＭ菌は、原液を培養により増やした状態で使用するため、培養された状態の水溶液となっている。そのため、遠隔地などで大量に使用する場合などでは、輸送上や使い勝手の上からは不都合を生じるものである。そのため、本考案においては、微粉末のＥＭ菌を使用するものである。
【００１５】  この微粉末のＥＭ菌を製造するには、熱風乾燥法、噴霧乾燥法、凍結真空乾燥法などがあるが、均一な微粉末を短時間で製造するためには、凍結真空乾燥法が好適である。この凍結真空乾燥法は、液体状のＥＭ菌をノズルから真空空間へ噴霧し、微小となったＥＭ金を自己凍結させて微小凍結粒子とし、その微小凍結粒子を真空下の低温度で加熱して氷結状態の溶媒または分散媒を昇華させて乾燥することにより均一な微粉末のＥＭ菌が得られるものである。
【００１６】  次に、製造工程Ｓ２の混練工程において、原料の陶土と上記の微粉末化したＥＭ菌を水を加えて混練する。そして、轆轤などを使用して図２に示すような湯飲みＡや、図３に示すような茶碗Ｂ、或いは図４に示すような食事用の皿Ｃなどに成形するものである（製造工程Ｓ３）。
【００１７】  次に、製造工程Ｓ３で成形した陶器を、製造工程Ｓ４で自然乾燥させた後素焼きにする。そして、この素焼きをした陶器に必要な模様の施釉を行う（製造工程Ｓ５）。この後に８００〜１２００℃で焼成を行い完成する（製造工程Ｓ６）。
【００１８】  このようにして完成した陶器は、これを食器とした場合には、健康の増進や長寿のために役立つものである。特には萩焼に適用した場合は、長年使い込むとそこにお茶や酒が浸透し、器表面の色が適当に変化し、枯れた味わいを見せ、実用性に富むとともに美術的にも優れた陶器を提供できるものである。
【産業上の可能性】
【００１９】  本考案のＥＭ菌入り陶器は上述した実施例の食器に限定されるものではなく、花の栽培に使用する花器類にも適用が可能である。
【符号の説明】
【００２０】Ｓ１          製造工程Ｓ２          製造工程Ｓ３          製造工程Ｓ４          製造工程Ｓ５          製造工程Ｓ６          製造工程Ｔ１          製造工程Ｔ２          製造工程Ａ            湯飲みＢ            茶碗Ｃ            皿
【図１】
0003198233.tif 000003
【図２】
0003198233.tif 000004
【図３】
0003198233.tif 000005
【図４】
0003198233.tif 000006
【手続補正書】
【提出日】平成27年3月30日(2015.3.30)
【手続補正１】
【補正対象書類名】実用新案登録請求の範囲
【補正対象項目名】全文
【補正方法】変更
【補正の内容】
【実用新案登録請求の範囲】
【請求項１】
液体状態の光合成細菌・乳酸菌・酵母を中心とした微生物の複合体を微粉末状に固体化したものを原料の陶土に混練し、焼き上げたことを特徴とするＥＭ菌入り陶器。
【請求項２】
前記陶器は、食器であることを特徴する請求項１に記載のＥＭ菌入り陶器。
【請求項３】
前記陶器は、萩焼であることを特徴する請求項１に記載のＥＭ菌入り陶器。
【手続補正２】
【補正対象書類名】明細書
【補正対象項目名】０００８
【補正方法】変更
【補正の内容】
【０００８】  液体状態の光合成細菌・乳酸菌・酵母を中心とした微生物の複合体を微粉末状に固体化したものを原料の陶土に混練し、焼き上げたことを特徴とするものである。